(57)【要約】【課題】実際に影響のある周波数変更等が行われた場合だけ、その旨をユーザに通知する。【解決手段】  ステップＳ２で、周波数変更等の可能性があると判定された場合、ステップＳ３で、受信可能な周波数帯域に含まれる全ての周波数のスキャニングを実行させ、周波数変更等の発生の有無を調査する。そして、ステップＳ４で、周波数変更等の発生有りと判定された場合、ステップＳ５で、検知した周波数変更等に追従して、受信する放送信号の周波数の設定を自動的に変更するように設定されているか否かが確認される。設定されていない場合、ステップＳ６で、周波数変更等の発生が実際に発生した旨、受信周波数の設定変更を促すメッセージ等がユーザに通知される。本発明は、地上デジタルテレビジョン放送を受信する受信装置に適用することができる。【選択図】図２
2005094102.tif 000002
【特許請求の範囲】
【請求項１】
放送信号を受信する受信装置において、
放送された周波数変更情報に対応して、受信可能な周波数をスキャニングするスキャニング手段と、
前記スキャニング手段によるスキャニング結果に基づき、受信するように設定されている前記放送信号の周波数に変更が生じているか否かを検知する検知手段と、
前記検知手段の検知結果をユーザに通知する通知手段と
を含むことを特徴とする受信装置。
【請求項２】
前記検知手段の検知結果に対応して、受信する周波数を変更する変更手段を
さらに含むことを特徴とする請求項１に記載の受信装置。
【請求項３】
前記検知手段は、前記スキャニング手段によるスキャニング結果に基づき、新たに受信可能となった放送信号と、以前は受信可能であったが受信不可能となった放送信号のうちの少なくとも一方を検知する
ことを特徴とする請求項１に記載の受信装置。
【請求項４】
放送信号を受信する受信方法において、
放送された周波数変更情報に対応して、受信可能な周波数をスキャニングするスキャニングステップと、
前記スキャニングステップの処理結果に基づき、受信するように設定されている前記放送信号の周波数に変更が生じているか否かを検知する検知ステップと、
前記検知ステップの処理結果をユーザに通知する通知ステップと
を含むことを特徴とする受信方法。
【請求項５】
放送信号を受信するためのプログラムであって、
放送された周波数変更情報に対応して、受信可能な周波数をスキャニングさせるスキャニングステップと、
前記スキャニングステップの処理結果に基づき、受信するように設定されている前記放送信号の周波数に変更が生じているか否かを検知させる検知ステップと、
前記検知ステップの処理結果をユーザに通知する通知ステップと
を含む処理をコンピュータに実行させることを特徴とするプログラム。
【発明の詳細な説明】
【技術分野】
【０００１】
本発明は、受信装置および方法、並びにプログラムに関し、特に、地上デジタルテレビジョン放送を受信する場合に用いて好適な受信装置および方法、並びにプログラムに関する。
【背景技術】
【０００２】
日本国内におけるテレビジョン放送は、従来のアナログ地上波を利用するものに代わって、地上デジタル波を利用するもの（以下、地上デジタルテレビジョン放送と記述する）に移行される。この移行の過程においては、アナログ波とデジタル波が混在する期間があるが、これらの相互干渉を防ぐために、従来のアナログ波の周波数を変更する処理（いわゆる、アナ−アナ変換）が行われる。そして、地上デジタルテレビジョン放送に移行した後には、周波数帯を有効に活用するために、デジタル波の周波数を変更する処理（いわゆる、Ｄ−Ｄ変換）が行われることになる。
【０００３】
そこで、地上デジタルテレビジョン放送においては、Ｄ−Ｄ変換の他、新規開局、閉局、出力増加、出力減少等が行われることを事前に受信装置に知らせるための周波数リスト・変更情報を、放送信号に多重化して送信することが規定されている（例えば、非特許文献１参照）。
【０００４】
これに対して、これまでに提案されている地上デジタルテレビジョン放送の受信装置では、受信した周波数リスト・変更情報に自動的に追従して受信する周波数の設定を変更する機能を有しているものがある。また、当該機能がユーザによって無効と設定されている場合や、当該機能を有していない受信装置においては、受信した周波数リスト・変更情報に基づき、Ｄ−Ｄ変換の変更内容、変更日時、コメント等を画面上に表示する等によって、ユーザに受信する周波数の設定変更を促す機能が備えられている。
【０００５】
ところで、周波数リスト・変更情報には、広範に亘る情報が含まれていることがあるので、受信した周波数リスト・変更情報が自身にとって関係のあるものであるか否かを判断する必要がある。
【０００６】
この判断方法としては、例えば、受信装置に対して当該受信装置の設置場所の郵便番号を登録し、受信装置が、郵便番号によって特定される地域と、周波数リスト・変更情報に含まれる情報とを比較して、自身にとって関係のあるものであるか否かを判断する方法がある。この郵便番号を登録する方法は、郵便番号の正確さが要求されること、受信装置に郵便番号と住所の対応表を保持するためのメモリの容量が大きくなること、郵便番号に変更があった場合に対応できないこと等の問題がある。
【０００７】
【非特許文献１】地上デジタルテレビジョン放送運用規定  技術資料  ARIB TR-B14
【発明の開示】
【発明が解決しようとする課題】
【０００８】
仮に、これらの問題を解決できたとしても、自身に関係のない周波数リスト・変更情報を確実に排除することはできないので、受信する周波数の設定変更をユーザに促す上述した機能を用いている限り、当該促しに対応してユーザが手動により全周波数のスキャンを行った結果、なにも変更がなかったということが起こり得る。つまり、ユーザに無駄な手間をかけさせてしまうことが起こり得るという課題があった。
【０００９】
本発明はこのような状況に鑑みてなされたものであり、実際に影響のある周波数変更等が行われている場合だけ、その旨や受信周波数の設定変更を促すメッセージをユーザに通知できるようにすることを目的とする。
【課題を解決するための手段】
【００１０】
本発明の受信装置は、放送された周波数変更情報に対応して、受信可能な周波数をスキャニングするスキャニング手段と、スキャニング手段によるスキャニング結果に基づき、受信するように設定されている放送信号の周波数に変更が生じているか否かを検知する検知手段と、検知手段の検知結果をユーザに通知する通知手段とを含むことを特徴とする。
【００１１】
本発明の受信装置は、検知手段の検知結果に対応して、受信する周波数を変更する変更手段をさらに含むことができる。
【００１２】
前記検知手段は、スキャニング手段によるスキャニング結果に基づき、新たに受信可能となった放送信号と、以前は受信可能であったが受信不可能となった放送信号のうちの少なくとも一方を検知するようにすることができる。
【００１３】
本発明の受信方法は、放送された周波数変更情報に対応して、受信可能な周波数をスキャニングするスキャニングステップと、スキャニングステップの処理結果に基づき、受信するように設定されている放送信号の周波数に変更が生じているか否かを検知する検知ステップと、検知ステップの処理結果をユーザに通知する通知ステップとを含むことを特徴とする。
【００１４】
本発明のプログラムは、放送された周波数変更情報に対応して、受信可能な周波数をスキャニングさせるスキャニングステップと、スキャニングステップの処理結果に基づき、受信するように設定されている放送信号の周波数に変更が生じているか否かを検知させる検知ステップと、検知ステップの処理結果をユーザに通知する通知ステップとを含む処理をコンピュータに実行させることを特徴とする。
【００１５】
本発明の受信装置および方法、並びにプログラムにおいては、放送された周波数変更情報に対応して、受信可能な周波数がスキャニングされ、スキャニングの結果に基づき、受信するように設定されている放送信号の周波数に変更が生じているか否かが検知され、その検知結果がユーザに通知される。
【発明の効果】
【００１６】
本発明によれば、実際に影響のある周波数変更等が行われている場合だけ、その旨や受信周波数の設定変更を促すメッセージをユーザに通知することが可能となる。
【発明を実施するための最良の形態】
【００１７】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１８】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加されたりする発明の存在を否定するものではない。
【００１９】
本発明によれば、受信装置が提供される。この受信装置（図１の受信装置１０）は、放送された周波数変更情報（例えば、周波数リスト・変更情報）に対応して、受信可能な周波数をスキャニングするスキャニング手段（例えば、図２のステップＳ３の処理を行う図１のフロントエンド部１７）と、スキャニング手段によるスキャニング結果に基づき、受信するように設定されている放送信号の周波数に変更が生じているか否かを検知する検知手段（例えば、図２のステップＳ４の処理を行う図１の制御部１１）と、検知手段の検知結果をユーザに通知する通知手段（例えば、図２のステップＳ６の処理を行う図１の制御部１１）とを含む。
【００２０】
受信装置は、検知手段の検知結果に対応して、受信する周波数を変更する変更手段（例えば、図２のステップＳ７の処理を行う図１の制御部１１）をさらに含むことができる。
【００２１】
検知手段は、スキャニング手段によるスキャニング結果に基づき、新たに受信可能となった放送信号と、以前は受信可能であったが受信不可能となった放送信号のうちの少なくとも一方を検知するようにすることができる。
【００２２】
本発明によれば、受信方法が提供される。この受信方法は、放送された周波数変更情報に対応して、受信可能な周波数をスキャニングするスキャニングステップ（例えば、図２のステップＳ３）と、スキャニングステップの処理結果に基づき、受信するように設定されている放送信号の周波数に変更が生じているか否かを検知する検知ステップ（例えば、図２のステップＳ４）と、検知ステップの処理結果をユーザに通知する通知ステップ（例えば、図２のステップＳ６）とを含む。
【００２３】
なお、本発明のプログラムの請求項に記載の構成要件と、発明の実施の形態における具体例との対応関係は、上述した本発明の受信方法のものと同様であるので、その記載は省略する。
【００２４】
以下、本発明を適用した受信装置について説明する。この受信装置は、受信可能な放送信号に変更があった場合、具体的には、周波数変更、新規開局、閉局、出力増加、出力減少等が行われた場合、その旨をユーザに通知して受信する周波数の設定変更等を促す機能を有するものである。図１は、本発明を適用した受信装置１０の構成例を示している。制御部１１には、ユーザの操作を受け付けて対応する操作コマンドを生成する操作入力部１２、制御用プログラムが記憶されているROM１３、および各種のデータを記憶するRAM１４が接続されている。また、制御部１１には、バス１５を介して、通信部１６乃至音声信号処理部２２が接続されている。
【００２５】
制御部１１は、ROM１３に記憶されている制御用プログラムに基づき、操作入力部１２から入力される操作コマンドに対応して、受信装置１０の各部を制御する。通信部１６は、TCP/IP等の通信プロトコルに従い、ネットワークを介して接続された、他の受信装置１０や他の電子機器と所定のデータを通信する。RAM１４には、受信された周波数リスト・変更情報が一時的に保持される。
【００２６】
フロントエンド部１７は、制御部１１からの制御に従い、アンテナの出力から、ユーザの選局に対応する放送信号を抽出してデスクランブラ１８に出力する。デスクランブラ１８は、フロントエンド部１７から入力される放送信号のスクランブルを適宜解除して、デマルチプレクサ１９に出力する。デマルチプレクサ１９は、デスクランブラ１８から入力される放送信号から、映像データおよび音声データを分離し、映像データおよび音声データをMPEGデコーダ２０に出力する。また、デマルチプレクサ１９は、デスクランブラ１８から入力される放送信号に多重化された周波数リスト・変更情報を分離して、バス１５を介して制御部１１に出力する。
【００２７】
MPEGデコーダ２０は、デマルチプレクサ１９から入力された映像データおよび音声データをデコードし、その結果得られる映像信号および音声信号を、それぞれ映像信号処理部２１または音声信号処理部２２に出力する。映像信号処理部２１は、MPEGデコーダ２０から入力された映像信号に対し、所定の画像処理を行ってモニタ３０に出力する。音声信号処理部２２は、MPEGデコーダ２０から入力された音声信号に対し、所定の音声処理を行って出力する。
【００２８】
次に、受信装置１０による周波数変更通知処理について、図２のフローチャートを参照して説明する。この周波数変更通知処理は、周波数リスト・変更情報を受信したとき、あるいは、周波数リスト・変更情報が受信済であることを前提として周期的に開始される。
【００２９】
ステップＳ１において、制御部１１は、受信済でRAM１４に保持されている周波数リスト・変更情報を参照することにより、受信するように設定されている放送局からの放送信号に周波数変更が生じていたり、受信可能な放送局が新規開局していたり、受信していた放送局が閉局したり、いままで受信できなかった放送局からの放送信号が出力増加されて受信可能となったり、いままで受信できた放送局からの放送信号が出力減少されて受信不可能となったりしている可能性を判定する。このとき、受信装置１０の設置場所は不明であってもよく、この場合、周波数リスト・変更情報に含まれる変更日時等だけに基づいて、周波数変更等の可能性が判定される。
【００３０】
ステップＳ２において、制御部１１は、ステップＳ１の処理で周波数変更等の可能性があると判定されたか否かを判定する。周波数変更等の可能性があると判定された場合、処理はステップＳ３に進む。ステップＳ３において、制御部１１は、フロントエンド部１７に対して、受信可能な周波数帯域の全域でスキャニングを実行させ、周波数変更等の発生の有無を調査する。
【００３１】
ステップＳ４において、制御部１１は、ステップＳ３で周波数変更等の発生有りと判定されたか否かを判定する。周波数変更等の発生有りと判定された場合、処理はステップＳ５に進む。ステップＳ５において、制御部１１は、受信装置１０が、検知した周波数変更等に追従して、受信する放送信号の周波数の設定を自動的に変更するように設定されているか否かを確認し、設定されていないと確認した場合、ステップＳ６に進む。ステップＳ６において、制御部１１は、周波数変更等の発生が実際に発生した旨、その具体的な内容、それに対応して受信する放送信号の周波数の設定を手動にて変更するように促すメッセージ等を、ユーザに対して通知する。通知の方法は、例えば、画面上にアラートを表示させたり、画面の色を変化させたり、ユーザ宛にメッセージメールを送信したり、受信装置１０の外面に設けた表示部（不図示）に所定の文字列を表示させたりすることが考えられる。以上で周波数変更通知処理は終了される。
【００３２】
なお、ステップＳ５において、受信装置１０が、検知した周波数変更等に追従して受信する放送信号の周波数の設定を自動的に変更するように設定されていると確認された場合、ステップＳ７に進み、制御部１１は、ステップＳ５において、制御部１１は、受信装置１０が、検知した周波数変更等に追従して、受信する放送信号の周波数の変更したり、受信する周波数を追加したり、所定の周波数の受信を取り止めたりするように設定する。
【００３３】
また、ステップＳ２において、ステップＳ１で周波数変更等の可能性がないと判定された場合、またはステップＳ４において、ステップＳ３で周波数変更等の発生無しと判定された場合、その段階でこの周波数変更通知処理は終了される。
【００３４】
以上説明したように、受信装置１０による周波数変更通知処理によれば、自身に関係のある周波数変更等が実際に発生した場合にのみ、その旨を通知するとともに、受信する周波数の設定変更をユーザに促すことになるので、ユーザに無駄な手間をかけさせてしまうことを防止することができる。
【００３５】
なお、本発明は、本実施の形態の他、テレビジョン受像機等に適用することが可能である。
【００３６】
また、本明細書において、プログラムを記述するステップは、記載された順序に従って時系列的に行われる処理はもちろん、必ずしも時系列的に処理されなくとも、並列的あるいは個別に実行される処理をも含むものである。
【図面の簡単な説明】
【００３７】
【図１】本発明を適用した受信装置の構成例を示すブロック図である。
【図２】周波数変更通知処理を説明するフローチャートである。
【符号の説明】
【００３８】
１０  受信装置，  １１  制御部，  １２  操作入力部，  １３  ROM，  １４  RAM，  １９  デマルチプレクサ
【図１】
2005094102.tif 000003
【図２】
2005094102.tif 000004